(57)【要約】【課題】清掃具において、ゴミを付着させて捕捉する粘着ロールを回転体によりスムースに回転させること。【解決手段】フレーム１５に掻き上げ体１６と回転体１８を並べて回動自在に支持し、掻き上げ体１６と回転体１８の上に粘着ロール２１を並べて回動自在に配置してなる清掃具１０であって、回転体１８が支軸１８Ａと回転子１８Ｂとからなり、支軸１８Ａは回転子１８Ｂが固定されていない部分で粘着ロール２１と離隔してなるもの。【選択図】　図１
2004033572.tif 000002
【特許請求の範囲】
【請求項１】
フレームに掻き上げ体と、粘着ロールを回転させるための回転体を並べて回動自在に支持し、掻き上げ体と回転体の上に粘着ロールを並べて回動自在に配置してなる清掃具であって、
回転体が、支軸と、支軸の軸方向複数位置に固定されて粘着ロールに接触する回転子とからなり、
回転体の支軸は、回転子が固定されていない部分で、粘着ロールと離隔してなることを特徴とする清掃具。
【請求項２】
前記フレームにおける掻き上げ体の後部に塵取部を支持し、該塵取部を回転体の回転子の下方の前後に渡る範囲に延在してなり、
回転体の支軸は、回転子が固定されていない部分で、塵取部と離隔してなる請求項１に記載の清掃具。
【請求項３】
前記回転体が、回転子の外周に環状リングを備える請求項１又は２に記載の清掃具。
【請求項４】
前記環状リングが低粘着性材料により形成された請求項３に記載の清掃具。
【発明の詳細な説明】
【０００１】
【発明の属する技術分野】
本発明は清掃具に関する。
【０００２】
【従来の技術】
清掃具として、フレームに掻き上げ体と、粘着ロールを回転させるための回転体を並べて回動自在に支持し、掻き上げ体と回転体の上に粘着ロールを並べて回動自在に配置してなるものがある（特願２０００−３３５０１４）。
【０００３】
また、フレームにおける掻き上げ部の後部に塵取部を支持し、塵取部を回転体の下方の前後に渡る範囲に延在してなるものもある（特願２００１−３０７９７２）。
【０００４】
【発明が解決しようとする課題】
▲１▼回転体がストレートな円筒状をなし、粘着ロールの略全巾において粘着ロールに隙間なく接触している。このため、掻き上げ体に掻き上げられた後に、粘着ロールに付着した大きなゴミが、粘着ロールとの間に隙間を介していない回転体に引っ掛かり、粘着ロールのスムースな回転を妨げる。
【０００５】
▲２▼回転体がストレートな円筒状をなし、塵取部の内部の略全巾において塵取部の内面に小隙間を介して近接する。このため、塵取部のゴミ収容量が少ない。
【０００６】
▲３▼掻き上げ体により掻き上げられて塵取部に送り込まれたゴミは、塵取部の回転体より前側（掻き上げ体に近い側）に滞留し、清掃具の掻き上げ体の側を持ち上げる傾斜操作によっても、塵取部の回転体より後側へのゴミの移動を該回転体によって妨げられる。塵取部の前側に滞留したゴミは、掻き上げ体と回転体と粘着ロールによりその上方を遮られ、使用者によりゴミのたまり具合を視認しにくい。また、ゴミが塵取部の前側に滞留するため、塵取部の取り込み口からゴミがこぼれ落ちるおそれがある。
【０００７】
本発明の課題は、清掃具において、ゴミを付着させて捕捉する粘着ロールを回転体によりスムースに回転させることにある。
【０００８】
本発明の他の課題は、清掃具において、塵取部のゴミ収容量を確保し、ゴミのたまり具合の視認性も向上することにある。
【０００９】
【課題を解決するための手段】
請求項１の発明は、フレームに掻き上げ体と、粘着ロールを回転させるための回転体を並べて回動自在に支持し、掻き上げ体と回転体の上に粘着ロールを並べて回動自在に配置してなる清掃具であって、回転体が、支軸と、支軸の軸方向複数位置に固定されて粘着ロールに接触する回転子とからなり、回転体の支軸は、回転子が固定されていない部分で、粘着ロールと離隔してなるようにしたものである。
【００１０】
請求項２の発明は、請求項１の発明において更に、前記フレームにおける掻き上げ体の後部に塵取部を支持し、該塵取部を回転体の回転子の下方の前後に渡る範囲に延在してなり、回転体の支軸は、回転子が固定されていない部分で、塵取部と離隔してなるようにしたものである。
【００１１】
【発明の実施の形態】
清掃具１０は、図１〜図３に示す如く、柄１１の先端部に継手部１２を介して支持アーム１３を結合し、支持アーム１３の両側アーム部１３Ａに支軸部１４を介してフレーム１５を前後方向に揺動自在に支持している。
【００１２】
フレーム１５の前部には可撓掻き上げ体１６が回転軸１７を介して回動自在に支持され、フレーム１５の後部には回転体１８が回転軸１９を介して回動自在に支持され、掻き上げ体１６と回転体１８は平行に並べられて配置される。
【００１３】
掻き上げ体１６は、支軸１６Ａと、支軸１６Ａの軸方向の全長に渡って植設されたブラシからなる掻き上げ部１６Ｂと、支軸１６Ａの両端部に結合された両側のタイヤ部１６Ｃからなり、タイヤ部１６Ｃに前述の回転軸１７を備える。掻き上げ部１６Ｂは粘着ロール２１に接触しても、接触しなくても良い。両側のタイヤ部１６Ｃはフレーム１５の両外側に配置される。
【００１４】
回転体１８は、支軸１８Ａと、支軸１８Ａの軸方向の両端側２位置（軸方向３位置等の複数位置でも可）に固定される円盤状の回転子１８Ｂと、支軸１８Ａの両端部に結合された両側のタイヤ部１８Ｃからなり、タイヤ部１８Ｃは前述の回転軸１９を備える。回転子１８Ｂは粘着ロール２１に接触する。両側のタイヤ部１８Ｃはフレーム１５の両外側に配置される。
【００１５】
掻き上げ体１６と回転体１８の回転子１８Ｂの上には、それらに跨がる粘着ロール２１が乗せられ、粘着ロール２１は掻き上げ体１６と回転体１８の回転に連れ回る。フレーム１５の上部は粘着ロール２１の出し入れ口とされ、取外し可能な透明カバー１５Ａにより被覆される。粘着ロール２１は、粘着シートの巻取りロールの構成、又は表面が粘着性のエラストマーからなり、その表面を洗浄して再使用可能とする構成等を含む。本実施例の粘着ロール２１は、粘着シート２１Ａをコア２１Ｂに巻き回し、粘着シート２１Ａの粘着面を外側に向けて巻出し可能かつ切断可能にした巻取りロールにて構成される。
【００１６】
フレーム１５における掻き上げ体１６の後部には塵取部２３が支持されている。塵取部２３は、床面に接する底面部２３Ａと、掻き上げ体１６に隙間なく（又は隙間を介して）相対する曲面状（又は平面状）のすくい面部２３Ｂと、回転体１８の回転子１８Ｂの下方の前後に渡る範囲に延在される凹状のゴミ受け部２３Ｃを有する。塵取部２３は、フレーム１５に後述する如くに上下に揺動可能に支持され、自重により底面部２３Ａとすくい面部２３Ｂの最下端部を床面に隙間なく接し、掻き上げ体１６の掻き上げ部１６Ａが掻き上げるゴミを床面に沿う後方に逃がすことなく、その全てのゴミをすくい面部２３Ｂにより粘着ロール２１の側にガイドし、大きなゴミはすくい面部２３Ｂに後続するゴミ受け部２３Ｃに送り込む。
【００１７】
清掃具１０では、塵取部２３をフレーム１５に対し、掻き上げ体１６とは独立に上下に揺動可能に支持するとともに、塵取部２３のゴミ受け部２３Ｃをフレーム１５から開放可能に支持した。
【００１８】
具体的には、塵取部２３における掻き上げ体１６に近い側の前側端を揺動部４０（塵取部２３の前端側両側面に設けたピン４１を、フレーム１５の両側壁に設けた長孔４２の中で上下動可能に係入したもの）によりフレーム１５に揺動可能に支持する。また、塵取部２３における掻き上げ体１６から遠い側の後側端に設けた係脱部５０の孔５１を、フレーム１５に設けた係脱可能ピン５２に係脱可能にし、孔５１を係脱可能ピン５２から外して塵取部２３の後側端をフレーム１５から開放可能に支持する。塵取部２３の孔５１をフレーム１５の係脱可能ピン５２に係入した状態で、係脱可能ピン５２を塵取部２３の揺動の中心軸とし、塵取部２３の孔５１をフレーム１５の係脱可能ピン５２から外した状態で、揺動部４０を塵取部２３の開放の中心軸とする。
【００１９】
清掃具１０による清掃動作は以下の通りなされる。
（１）柄１１の軸方向に加える操作力により清掃具１０を前進させ、掻き上げ体１６及び回転体１８を回動させ、同時に粘着ロール２１を連れ回り回転させる。
【００２０】
（２）掻き上げ体１６の掻き上げ部１６Ａが床面上のゴミを掻き上げると、このゴミは塵取部２３にガイドされて粘着ロール２１の側に送り出され、粘着ロール２１の粘着面に吸着捕捉される。
【００２１】
（３）粘着ロール２１の粘着面に捕捉されたゴミは、粘着ロール２１の回動とともに回転体１８の側に移動し、回転体１８により粘着ロール２１の粘着面に押付けられて固定化される。
【００２２】
（４）透明カバー１５Ａを通して粘着ロール２１の粘着面の全周に多量のゴミが捕捉されたことが視認されたら、カバー１５Ａを開いて粘着シート２１Ａの１周分を剥離切断除去し、新規粘着面を露出せしめた後、カバー１５Ａを閉じる。
【００２３】
尚、清掃具１０は前進だけでなく、後進もできる。塵取部２３は、底面部２３Ａの尾端部をアール状に跳ね上げ、後進時にこの尾端部が床面に引掛かるのを防止する。
【００２４】
清掃具１０にあっては、前述した如く、回転体１８が支軸１８Ａと回転子１８Ｂとからなるものにしたから、下記（ａ）、（ｂ）の構成を具備することになる。尚、回転体１８の支軸１８Ａ及び回転子１８Ｂは、フレーム１５と塵取部２３に挟まれる空間に配置される。
【００２５】
（ａ）回転体１８の支軸１８Ａは、回転子１８Ｂが固定されていない部分で、粘着ロール２１と大きな隙間を介して離隔する（図２）。
【００２６】
（ｂ）回転体１８の支軸１８Ａは、回転子１８Ｂが固定されていない部分で、塵取部２３（ゴミ受け部２３Ｃの底面２３Ｄ）と、大きな隙間を介して離隔する（図１）。尚、ゴミ受け部２３Ｃの底面２３Ｄのうち、回転子１８Ｂに相対する部分は円弧状くぼみ部２３Ｅとされる。
【００２７】
ここで、回転体１８の回転子１８Ｂは、シリコンゴム製Ｏリング等の環状リング１８Ｄを外周に備える。環状リング１８Ｄは回転子１８Ｂに設けた環状溝に装填される。
【００２８】
尚、清掃具１０は、柄１１及び支持アーム１３によりフレーム１５を持ち上げた状態で、図３に示す如く、掻き上げ体１６の方が回転体１８より前方かつ上方に位置付けられる傾斜状態となるように、フレーム１５及びその取付部品の重心を支持アーム１３の支軸部１４まわりに位置設定している。清掃具１０における粘着ロール２１の交換等に際し、フレーム１５を持ち上げた上述の傾斜状態で、塵取部２３のゴミ受け部２３Ｃの中の前側（掻き上げ体１６の側）にあったゴミＡは、回転体１８の支軸１８Ａの下方を通ってゴミ受け部２３Ｃの回転体１８より後側に移動し、このゴミを透明樹脂からなるフレーム１５及び塵取部２３の外方から視認できる。清掃具１０において、図５に示す如く、回転体１８がストレート状円筒体からなるとき、回転体１８と塵取部２３の間へのゴミの噛み込みを防ぐ必要から、塵取部２３が回転体１８の前側に壁Ｗを設けた場合には、回転体１８より後側へのゴミＡの移動は生じない。
【００２９】
本実施形態によれば以下の作用がある。
（請求項１に対応する作用）
▲１▼回転体１８が支軸１８Ａと回転子１８Ｂからなり、支軸１８Ａは回転子１８Ｂが固定されていない部分で、粘着ロール２１と離隔する。このため、掻き上げ体１６に掻き上げられた大きなゴミが粘着ロール２１に付着しても、ゴミは支軸１８Ａとの間の大きな隙間を通過して粘着ロール２１とともに回転し、粘着ロール２１のスムースな回転を妨げない。粘着ロール２１により大きなゴミも安定的に捕集できる。
【００３０】
（請求項２に対応する作用）
▲２▼回転体１８の支軸１８Ａは、回転子１８Ｂが固定されていない部分で塵取部２３と離隔する。このため、塵取部２３の内部の広い範囲において、支軸１８Ａが塵取部２３の内面との間に大きな隙間を形成し、塵取部２３のゴミ収容量を多くする。
【００３１】
▲３▼掻き上げ体１６により掻き上げられて塵取部２３に送り込まれたゴミは、清掃具１０の掻き上げ体１６の側を持ち上げる傾斜により、塵取部２３の回転体１８より前側（掻き上げ体１６に近い側）から、回転体１８の支軸１８Ａの下方の大きな隙間をスムースに通過し、塵取部２３の回転体１８より後側に移動できる。ゴミは、掻き上げ体１６と回転体１８と粘着ロール２１により遮られることのない塵取部２３の後側に移動し、使用者によるゴミのたまり具合の視認性を向上できる。また、ゴミは塵取部２３の回転体１８より後側に移動されるから、塵取部２３に入ったゴミが塵取部２３の取り込み口たるすくい面部２３Ｂからこぼれ落ちることがない。
【００３２】
（請求項３に対応する作用）
▲４▼回転体１８は、回転子１８Ｂの外周に環状リング１８Ｄを設けたから、回転子１８Ｂと粘着ロール２１の接触面積が小さくなり、粘着ロール２１の粘着力を上げても回転子１８Ｂが粘着ロール２１に貼り付かず、回転体１８はスムースに転動できる。従って、清掃具１０は、床面上で回転体１８をスムースに転動させながら、高い粘着力の粘着ロール２１を確実に回転させ、掻き上げ体１６が掻き上げる塵埃を粘着ロール２１の新規粘着面により確実に捕捉する。
【００３３】
（請求項４に対応する作用）
▲５▼環状リング１８Ｄとしては、シリコンゴム等の低粘着性軟質リングの他に、フッ素樹脂、テフロン（登録商標）等の低粘着性硬質リングを採用できる。
【００３４】
【発明の効果】
以上のように本発明によれば、清掃具において、ゴミを付着させて捕捉する粘着ロールを回転体によりスムースに回転させることができる。
【００３５】
また、本発明によれば、清掃具において、塵取部のゴミ収容量を確保し、ゴミのたまり具合の視認性も向上することができる。
【図面の簡単な説明】
【図１】図１は清掃具を示す模式側面図である。
【図２】図２は清掃具を示す模式平面図である。
【図３】図３は清掃具の持ち上げ状態を示す斜視図である。
【図４】図４は回転体を示す斜視図である。
【図５】図５は清掃具の比較例を示す模式側面図である。
【符号の説明】
１０　清掃具
１５　フレーム
１６　掻き上げ体
１８　回転体
１８Ａ　支軸
１８Ｂ　回転子
１８Ｄ　環状リング
２１　粘着ロール
２３　塵取部
【図１】
2004033572.tif 000003
【図２】
2004033572.tif 000004
【図３】
2004033572.tif 000005
【図４】
2004033572.tif 000006
【図５】
2004033572.tif 000007